(57)【要約】【課題】小型かつコンパクトに構成され、小規模浄水場や災害現場などへの搬送及び設置が容易で、安定した膜濾過が可能であるとともに、膜モジュールが目詰まりしにくく維持管理が簡単である可搬型水処理装置を提供すること。【解決手段】可搬型で小型の枠体内に少なくとも膜モジュールと制御盤と次亜注入部と逆洗水槽を有し、膜モジュールの一次側に原水供給ラインから切換え可能に接続した膜供給水ラインを、二次側に濾過水ラインを備えた膜ユニットと、可搬型で小型の枠体内に少なくとも除濁濾過塔と、除濁濾過塔の一次側に前処理水供給ラインを、二次側に前処理水ラインを配設するとともに、原水供給ラインから分岐した分岐ラインと前処理水供給ラインとを接続する接続部と、前処理水ラインと膜供給水ラインとを接続する接続部とを、膜ユニットと除濁ユニットのそれぞれに配設した除濁ユニットと膜ユニットの可搬型水処理装置である。【選択図】      図１
2020066002.tif 000002
【特許請求の範囲】
【請求項１】
可搬型で小型の枠体内に少なくとも膜モジュールと制御盤と次亜注入部と逆洗水槽を有し、前記膜モジュールの一次側に原水供給ラインから切換え可能に接続した膜供給水ラインを、二次側に濾過水ラインを備えた膜ユニットと、可搬型で小型の枠体内に少なくとも除濁濾過塔と、前記除濁濾過塔の一次側に前処理水供給ラインを、二次側に前処理水ラインを配設するとともに、前記原水供給ラインから分岐した分岐ラインと前記前処理水供給ラインとを接続する接続部と、前記前処理水ラインと膜供給水ラインとを接続する接続部とを、膜ユニットと除濁ユニットのそれぞれに配設したことを特徴とする除濁ユニットと膜ユニットの可搬型水処理装置。
【請求項２】
除濁ユニットに縦長状に配設した除濁濾過塔を前記枠体の側面側より取出し可能に設けた請求項１に記載の除濁ユニットと膜ユニットの可搬型水処理装置。
【請求項３】
原水濁度に応じて膜ユニット又は除濁ユニットの一方又は双方の逆洗頻度を制御するようにした請求項１又は２に記載した除濁ユニットと膜ユニットの可搬型水処理装置。
【請求項４】
膜ユニット又は除濁ユニットの一方又は双方に設けた制御盤やバルブ、ポンプなどの機器を各ユニット間で連動させることにより共用するようにした請求項１乃至３の何れか１項に記載した除濁ユニットと膜ユニットの可搬型水処理装置。
【請求項５】
前記除濁濾過塔は繊維濾過材を収納した繊維濾過塔である請求項１乃至４に何れか１項に記載した除濁ユニットと膜ユニットの可搬型水処理装置。
【請求項６】
可搬型で小型の枠体内に、少なくとも除濁濾過塔と逆洗器材と制御盤を有する除濁ユニット本体とを備え、前記除濁濾過塔の一次側に原水供給ラインを、二次側に除濁処理ラインを設けるとともに、前記除濁ユニット本体を膜ユニットに直列配置したことを特徴とする除濁ユニットと膜ユニットの可搬型水処理装置。
【請求項７】
前記除濁ユニット本体に縦長状に配設した除濁濾過塔を前記枠体の側面側より取り出し可能に設けた請求項６に記載した除濁ユニットと膜ユニットの可搬型水処理装置。
【請求項８】
前記除濁濾過塔は繊維濾過材を収納した繊維濾過塔である請求項６又は７に記載した除濁ユニットと膜ユニットの可搬型水処理装置。
【請求項９】
次亜水を充水させた前記逆洗水槽から前記膜モジュールを経由して、前記除濁濾過塔内に次亜水を充水させた状態で前記除濁濾過塔内を洗浄消毒するようにしたことを特徴とする請求項１乃至５の何れか１項に記載した除濁ユニットと膜ユニットの可搬型水処理装置。
【請求項１０】
前記除濁濾過塔による濾過工程の後に、当該除濁濾過塔内の逆洗工程を経た後に、前記除濁濾過塔内の繊維濾過材の圧密工程を実施し、その後、処理水質が安定するまで濾過排水工程を経ることを特徴とする請求項１乃至８の何れか１項に記載した除濁ユニットと膜ユニットの可搬型水処理装置の水処理方法。
【請求項１１】
前記逆洗工程により前記除濁濾過塔内の繊維濾過材を復帰させた後に、前記圧密工程で所定の濾過流速で前記繊維濾過材を圧密するようにした請求項１０に記載の除濁ユニットと膜ユニットの可搬型水処理装置の水処理方法。
【請求項１２】
可搬型の枠体内に少なくとも除濁濾過塔を有し、前記枠体の一部で前記除濁濾過塔を保持する保持枠体の下部に前記保持枠体と共に前記除濁濾過塔を回動させ、かつ離脱又は組立を可能とした回転軸を備えたことを特徴とする可搬型水処理装置。
【請求項１３】
前記回転軸は、除濁濾過塔の下フランジの下側近傍位置の前記枠体に配置させ、前記回転軸に対し回転させ、かつ、離脱可能であるフック部材を前記保持枠体に設けた請求項１２に記載の可搬型水処理装置。
【発明の詳細な説明】
【技術分野】
【０００１】
本発明は、小規模水道施設での使用に好適な水処理装置に関し、詳しくは原水の濁度が上昇した際にも安定的に浄水処理の実施が可能なように除濁ユニットと膜ユニットを備えた可搬型水処理装置に関する。
【背景技術】
【０００２】
日本全国の水道普及率は、平成２３年には９７．５％に達し、国民皆水道が略実現している。その一方で、我国の人口は平成２２年をピークに減少に転じ、この人口減少に歩を合わせて全国の市町村面積の約半分を占める過疎地域の多くでは、少子高齢化による限界集落化が進んでいる。
【０００３】
水道事業は原則として水道料金で事業の運営経費をまかなう必要があるが、このような限界集落化が進んだ小規模集落では、水道利用者数の減少に伴って水道料金収入が激減し、事業効率が悪化している。小規模集落であっても衛生的な飲料水・生活用水の確保は必要不可欠であるが、このような小規模集落は険しい山間に点在し、浄水施設から遠く離れているため、既存施設の老朽化に伴う更新はおろか、既存施設の維持ですら経済的に困難になりつつある。
【０００４】
また、これらの小規模集落における一日当たりの所要水量は少量であり、従来の給水手法とは異なる新たな給水手法が求められるとともに、水源地の環境の悪化による原水濁度の上昇への対応も求められている。
【０００５】
原水濁度が高い場合に対応可能な浄水装置として、特許文献１には、濁度を低下させた原水を膜処理装置に供給することができるように、膜処理装置の前処理に繊維濾過器からなる除濁手段を備えた水処理システムが開示されている。
【０００６】
また、特許文献２には、膜処理装置の前処理に繊維濾過器からなる除濁手段を備え、トラックに搭載可能なサイズに構成された移動式浄水設備が開示されている。特許文献３には、枠体内に中空糸膜モジュールと逆洗タンクとを有する可搬型水処理装置が記載されている。
【０００７】
特許文献４には、薬液を逆洗タンクに注入することで、薬液タンクを省略して、設備の設置面積を低減させた膜処理装置が記載されている。
【０００８】
特許文献５には、洗浄運転と原水処理運転との間に濾材圧縮工程を設けた濁質除去装置の運転方法が開示されている。
【０００９】
特許文献６には、ベースユニットに回動機構を介して水平・垂直に位置変え可能とした支持台に膜モジュールを固定し、支持台とともに膜モジュールを水平から垂直に変えることができるようにした膜モジュール支持装置が記載されている。
【先行技術文献】
【特許文献】
【００１０】
【特許文献１】特許第５８６６８０８号公報
【特許文献２】特許第２７５５１８２号公報
【特許文献３】特開２０１８−１３０６８２号公報
【特許文献４】実開平７−３７３２２号公報
【特許文献５】特開２００３−２４７１８号公報
【特許文献６】特開２００６−２１８３８７号公報
【発明の概要】
【発明が解決しようとする課題】
【００１１】
しかしながら、特許文献１の水処理システムは、繊維濾過器で濁度を低下させた後に膜処理を行うため、安定的に浄水処理を行うことができるが、取水した原水を貯留する原水槽、繊維濾過水を貯留する前処理槽、膜濾過水を貯留する浄水槽、繊維濾過逆洗ポンプや膜濾過逆洗ポンプを備えた比較的に大規模なシステムであるので、険しい山間に点在する小規模集落用の水道施設としての採用は、用地確保の面からもまた経済的な面からも不可能である。
【００１２】
また、特許文献２の移動式浄水設備は、地震や台風等の災害時の非常用には有用であると考えられるものの、前述のように、限界集落化が進んだ小規模集落は険しい山間に点在しているために道路事情が悪く、特に浄水装置を設置する取水源付近においては、例え軽自動車であっても進入可能な道路は設けられておらず、細い山道を徒歩で接近する必要がある場合が大半であるため、トラックに搭載した移動式の浄水設備を小規模集落用の水道施設として採用することは困難である。
【００１３】
そこで、出願人は、特許文献３の可搬型水処理装置を提案したが、この可搬型水処理装置は、膜ユニットのみで原水の濾過処理を行っているため、水源地の環境の悪化、地震や台風等の災害の影響で原水濁度が上昇すると直ぐに膜モジュールに膜閉塞が発生し、膜モジュールの頻繁な逆洗や膜の薬品洗浄が必要となり、水処理装置の維持管理に手間やコストを要し、安定して浄水処理をすることができない。このため、小規模な水道施設で様々な原因により原水濁度が上昇した場合であっても、安定的に膜ユニットで浄水処理を実施することができる水処理装置が求められている。
【００１４】
また、特許文献４の膜処理装置は、除濁ユニットと膜モジュールに用いる次亜注入機構を共用する点については全く開示されていない。
【００１５】
また、特許文献５の除濁装置は、原水の流入量が極めて少ない小規模な浄水施設等で使用できるものではなく、しかも膜ユニットの目詰まりを抑制できるものではない。
【００１６】
また、特許文献６の膜モジュール支持装置では、回動機構を設けて重い膜モジュールを作業者１人で回転できるようにして、膜モジュールが水平から垂直状態に回動する点が開示されており、離脱や組立或いは膜モジュールを可搬する際については開示されていない。
【００１７】
本発明は以上の事情に基づいてなされたもので、その目的とするところは、小型かつコンパクトに構成され、小規模浄水場や災害現場などへの搬送及び設置が容易であり、安定した膜濾過が可能であるとともに、膜モジュールが目詰まりしにくく維持管理が簡単であり、ひいては浄水コストの削減につながる可搬型水処理装置を提供することにある。
【課題を解決するための手段】
【００１８】
上記の目的を達成するため、請求項１に係る発明は、可搬型で小型の枠体内に少なくとも膜モジュールと制御盤と次亜注入部と逆洗水槽を有し、膜モジュールの一次側に原水供給ラインから切換え可能に接続した膜供給水ラインを、二次側に濾過水ラインを備えた膜ユニットと、可搬型で小型の枠体内に少なくとも除濁濾過塔と、除濁濾過塔の一次側に前処理水供給ラインを、二次側に前処理水ラインを配設するとともに、原水供給ラインから分岐した分岐ラインと前処理水供給ラインとを接続する接続部と、前処理水ラインと膜供給水ラインとを、接続する接続部とを膜ユニットと除濁ユニットのそれぞれに配設した除濁ユニットと膜ユニットの可搬型水処理装置である。
【００１９】
請求項２に係る発明は、除濁ユニットに縦長状に配設した除濁濾過塔を枠体の側面側より取出し可能に設けた除濁ユニットと膜ユニットの可搬型水処理装置である。
【００２０】
請求項３に係る発明は、原水濁度に応じて膜ユニット又は除濁ユニットの一方又は双方の逆洗頻度を制御するようにした除濁ユニットと膜ユニットの可搬型水処理装置である。
【００２１】
請求項４に係る発明は、膜ユニット又は除濁ユニットの一方又は双方に設けた制御盤やバルブ、ポンプなどの機器を各ユニット間で連動させることにより共用するようにした除濁ユニットと膜ユニットの可搬型水処理装置である。
【００２２】
請求項５に係る発明は、除濁濾過塔は繊維濾過材を収納した繊維濾過塔である除濁ユニットと膜ユニットの可搬型水処理装置である。
【００２３】
請求項６に係る発明は、可搬型で小型の枠体内に、少なくとも除濁濾過塔と逆洗器材と制御盤を有する除濁ユニット本体とを備え、除濁濾過塔の一次側に原水供給ラインを、二次側に除濁処理ラインを設けるとともに、除濁ユニット本体を膜ユニットに直列配置したことを特徴とする除濁ユニットと膜ユニットの可搬型水処理装置である。
【００２４】
請求項７に係る発明は、除濁ユニット本体に縦長状に配設した除濁濾過塔を枠体の側面側より取り出し可能に設けた除濁ユニットと膜ユニットの可搬型水処理装置である。
【００２５】
請求項８に係る発明は、除濁濾過塔は繊維濾過材を収納した繊維濾過塔である除濁ユニットと膜ユニットの可搬型水処理装置である。
【００２６】
請求項９に係る発明は、次亜水を充水させた逆洗水槽から膜モジュールを経由して、除濁濾過塔内に次亜水を充水させた状態で除濁濾過塔内を洗浄消毒するようにした除濁ユニットと膜ユニットの可搬型水処理装置である。
【００２７】
請求項１０に係る発明は、除濁濾過塔による濾過工程の後に、当該除濁濾過塔内の逆洗工程を経た後に、除濁濾過塔内の繊維濾過材の圧密工程を実施し、その後、処理水質が安定するまで濾過排水工程を経る、除濁ユニットと膜ユニットの可搬型水処理装置の水処理方法である。
【００２８】
請求項１１に係る発明は、逆洗工程により除濁濾過塔内の繊維濾過材を復帰させた後に、圧密工程で所定の濾過流速で繊維濾過材を圧密するようにした除濁ユニットと膜ユニットの可搬型水処理装置の水処理方法である。
【００２９】
請求項１２に係る発明は、可搬型の枠体内に少なくとも除濁濾過塔を有し、枠体の一部で除濁濾過塔を保持する保持枠体の下部に保持枠体と共に除濁濾過塔を回動させ、かつ離脱又は組立を可能とした回転軸を備えた可搬型水処理装置である。
【００３０】
請求項１３に係る発明は、回転軸は、除濁濾過塔の下フランジの下側近傍位置の枠体に配置させ、回転軸に対し回転させ、かつ、離脱可能であるフック部材を保持枠体に設けた可搬型水処理装置である。
【発明の効果】
【００３１】
請求項１に係る発明によると、原水の濁度が高い場合には除濁ユニットで原水を除濁して濁度を低下させる前処理を行った後に膜ユニットで膜濾過することができるので、膜ユニットの膜モジュールが目詰まりしにくく、安定した濾過処理を行うことができので、水処理装置の維持管理が簡単となるとともに、造水コストを抑制することができる。
【００３２】
また、除濁ユニットと膜ユニットを結ぶラインが双方のユニットに設けた接続部で接続されているので、可搬型水処理装置を搬送する際には、除濁ユニットと膜ユニットを結ぶラインを双方のユニットに設けた接続部から取り外すだけで除濁ユニットと膜ユニットを個別に搬送することが可能となるため、可搬型水処理装置の小規模浄水場や災害現場などへの搬送及び設置を容易に行うことができる。
【００３３】
請求項２に係る発明によると、除濁ユニットに縦長状に配設した除濁濾過塔を枠体の側面側より取り出すことができるので、除濁濾過塔を取出すことにより除濁ユニットの高さを低くすることができ、除濁濾過塔を取出した状態の除濁ユニットは、既存の建屋の扉から搬入可能となり、可搬型水処理装置の小規模浄水場等への搬送及び設置を容易に行うことができる。
【００３４】
請求項３に係る発明によると、原水濁度に応じて膜ユニット又は除濁ユニットの一方又は双方の逆洗頻度を制御するので、膜ユニット及び除濁ユニットの目詰まりを防止しつつ、可搬型水処理装置の浄水量（濾過水量）を最大限確保することができる。
【００３５】
請求項４に係る発明によると、膜ユニット又は除濁ユニットの一方又は双方に設けた制御盤やバルブ、ポンプなどの機器をユニット間で連動させることにより共用するようにしたので、双方のユニットで機器が重複することを防止し、ユニットをコンパクトに構成することができるとともに、コストを削減することができる。
【００３６】
請求項６に係る発明によると、可搬型で小型の枠体内に、少なくとも除濁濾過塔と逆洗器材と制御盤を有する除濁ユニット本体とを備え、除濁濾過塔の一次側に原水供給ラインを、二次側に除濁処理ラインを設けるとともに、除濁ユニット本体を膜ユニットに直列配置するので、除濁ユニット本体と膜ユニットに配する機器の重複配置を防止し、可搬型水処理装置をコンパクトに構成することができるとともに、製造コストを削減することができる。
【００３７】
請求項７に係る発明によると、除濁ユニット本体に縦長状に配設した除濁濾過塔を枠体の側面側より取り出すことができるので、除濁濾過塔を取出すことにより除濁ユニット本体の高さを低くすることができ、除濁濾過塔を取出した状態の除濁ユニット本体は、既存の建屋の扉から搬入可能となり、可搬型水処理装置の小規模浄水場等への搬送及び設置を容易に行うことができる。
【００３８】
請求項５及び請求項８に係る発明によると、除濁濾過塔は繊維濾過材を収納した繊維濾過塔であるので、高濁度原水であっても、高速で安定した浄水処理を行うことができる。
【００３９】
請求項９に係る発明によると、次亜水を充水させた逆洗水槽から膜モジュールを経由して、除濁濾過塔内に次亜水を充水させた状態で除濁濾過塔内を洗浄消毒するようにしているから、除濁濾過塔内を洗浄消毒するために別途の次亜注入機構を除濁ユニットに設けることなく、除濁濾過塔内に次亜水の充水を可能にし、除濁濾過塔内を洗浄消毒することができると共に、除濁ユニットと膜ユニットに用いる次亜注入部を共用できるので装置のコンパクト化に寄与することができる。
【００４０】
請求項１０に係る発明によると、除濁濾過塔による濾過工程の後に、当該除濁濾過塔内の逆洗工程を経た後に、除濁濾過塔内の繊維濾過材の圧密工程を実施し、処理水質が安定するまで濾過排水工程を経ているので、原水の流速が少ない場合でも、濁質除去能力の変動がなく、安定した濾過能力を保持することができると共に、原水流入量が極めて少量の浄水施設等でも、除濁ユニットを現地に合わせた流量に設定可能とし、しかも、膜ユニットの目詰まりを抑制することができる。
【００４１】
請求項１１に係る発明によると、逆洗工程により除濁濾過塔内の繊維濾過材を復帰させた後に、圧密工程で繊維濾過材を圧密状態にする所定の流速で圧密するので、逆洗するまで繊維濾過材は圧密状態を保持できる。このため、繊維濾過材は、充分に濁質除去できる圧密状態となっているので、原水の流入量に合わせた流量の調整が可能となり、膜流速を低く設定しても問題なく濁質除去できる。
【００４２】
請求項１２に係る発明によると、可搬型の枠体内の除濁濾過塔を、枠体の一部で保持する保持枠体によって、保持枠体と共に除濁濾過塔を回動させ、かつ離脱又は組立を可能にする回転軸を備えたので、除濁濾過塔を回動させて離脱又は組立可能にし、作業者が１人でも安全に、可搬型の枠体から除濁濾過塔の取出又は組立が可能で、もって作業性の向上を図ることができる。
【００４３】
請求項１３に係る発明によると、回転軸を下フランジの下側近傍位置に設け、かつ、保持枠体にフック部材を設けており、フック部材が回転軸に係合して回転軸に対して保持枠体を回動させることで、除濁濾過塔の回動が安定し、作業時に部材を損傷する心配がなく、安全に除濁濾過塔の取出又は組立が可能で、さらに、除濁濾過塔の仮置きやパッキンの位置合わせなどの確認ができる。
【図面の簡単な説明】
【００４４】
【図１】本発明における可搬型水処理装置の一実施形態を説明する模式図である。
【図２】図１の除濁ユニットの実装例の外観を示す図面であり、（ａ）は左側面図、（ｂ）は正面図、（ｃ）は右側面図である。
【図３】図２の除濁ユニットに除濁濾過塔を着脱する状況を説明する模式図である。
【図４】図２の除濁ユニットを分解した状態を示す図面であり、（ａ）は左側面図、（ｂ）は正面図、（ｃ）は右側面図、（ｄ）は取り外した除濁濾過塔である。
【図５】図１の可搬型水処理装置の濾過工程の運転を説明する図面である。
【図６】図１の可搬型水処理装置の膜ユニット逆洗水貯留工程の運転を説明する図面である。
【図７】図１の可搬型水処理装置の膜ユニット逆洗工程の運転を説明する図面である。
【図８】図１の可搬型水処理装置の除濁ユニット逆洗工程の運転を説明する図面である。
【図９】図１の可搬型水処理装置の除濁ユニット濾過排水工程の運転を説明する図面である。
【図１０】他の発明における可搬型水処理装置の基本構成を説明する図である。
【図１１】除濁ユニットの除濁濾過塔の取出・取付を説明する図面であり、（ａ）は一部切欠いた除濁ユニットの説明図、（ｂ）は（ａ）の要部拡大図、（ｃ）は除濁濾過塔の取出時の回動後の要部拡大図、（ｄ）は取出又は取付途中の要部拡大図、（ｅ）は除濁濾過塔の取付時の回動後の要部拡大図である。
【図１２】除濁濾過塔の回動を説明する図面である。
【図１３】他の実施形態における可搬型水処理装置の除濁濾過塔内の洗浄消毒方法のフロー図である。
【図１４】図１３の次亜水充水工程を説明する図面である。
【図１５】図１３の原水充水工程を説明する図面である。
【図１６】図１３の圧密工程を説明する図面である。
【図１７】図１３の濾過排水工程を説明する図面である。
【発明を実施するための形態】
【００４５】
以下に、本発明における除濁ユニットと膜ユニットの可搬型水処理装置について図面に基づいて詳細に説明する。
図１は、本発明の可搬型水処理装置の一実施形態の模式図である。図１によると、可搬型水処理装置１は、除濁ユニット２と膜ユニット３とから構成され、除濁ユニット２と膜ユニット３との間は、前処理水供給ライン４と前処理水ライン５を双方のユニット２、３に設けた接続部６、７、８、９に接続して連絡されている。
【００４６】
除濁ユニット２は、取水した原水の濁度が高い場合に、膜ユニット３の安定した濾過処理を可能とするため、膜ユニット３の前処理として原水を除濁するユニットであり、また、膜ユニット３は、除濁ユニット２が除濁した原水を膜濾過して濾過水を供給するユニットである。
【００４７】
先ず、除濁ユニット２の構成を説明する。図１によると、除濁ユニット２内には、供給された原水を除濁する除濁濾過塔１１と、除濁する原水に凝集剤（ＰＡＣ）を注入する凝集剤注入機構１２と、除濁濾過塔１１を逆洗洗浄する逆洗機構１３と、除濁濾過塔１１の逆洗と同時に空洗（エアスクラビング洗浄）する空洗機構１４と、除濁ユニット２の作動を制御する操作盤１５とが、枠体１６内に集約して配置されている。
【００４８】
接続部６と除濁濾過塔１１の一次側との間は前処理水供給ライン２１で接続されており、前処理水供給ライン２１には、前処理水供給ライン２１内を流れる原水の濁度を計測する濁度計２２、原水に凝集剤を注入するＰＡＣ注入部２３、注入されたＰＡＣを原水に十分に混合させるためのラインミキサー２４、原水の流れを前処理水供給ライン２１から逆洗水排水ライン４９に切換えるためのバルブ（三方弁）２５が設けられている。
【００４９】
除濁濾過塔１１は、φ３００で、Ｇ−ＦＲＰ製の本体内に濁質捕捉能力が高いポリプロピレン製の繊維濾過材２７を内蔵した軽量の高速繊維濾過装置であり、濁度１００程度の原水を濁度１０程度まで除濁することができる。濁度１０程度の水であれば、膜ユニット３で濾過処理しても膜閉塞は発生せず、継続的に安定した濾過処理することができる。
【００５０】
除濁濾過塔１１の二次側には前処理水ライン２９が接続されており、前処理水ライン２９の他の端部は、接続部８に接続されている。前処理水ライン２９には流量計３３とバルブ（二方弁）３４と濁度計３５が設けられている。なお、本例の場合、流量計３３は、計測範囲が２．５〜５０Ｌ／ｍｉｎの超音波流量計であり、また、濁度計３５の測定範囲は０〜２０度であり、膜ユニット３へ供給する除濁した原水の濁度を計測している。
【００５１】
これに加え、除濁濾過塔１１には差圧計１１ａ（測定範囲：０〜１ＭＰａ）を設けており、繊維濾過材２７の目詰まり異常を検知する。
【００５２】
凝集剤注入機構１２は、原水中に含まれるコロイド粒子（粒子径１ｎｍ〜１μｍ）の表面電荷を中和して粒子同士を結合させて沈殿させるために凝集剤（ＰＡＣ：水道用ポリ塩化アルミニウム）を原水に供給するための装置であり、前処理水供給ライン２１内を流れる原水の濁度を計測する濁度計２２と、前処理水供給ライン２１内を流れる原水に凝集剤を注入するＰＡＣ注入部２３と、ＰＡＣを貯留するＰＡＣタンク３７と、ＰＡＣタンク３７と前処理水供給ライン２１に設けたＰＡＣ注入部２３との間を接続するＰＡＣ供給ライン３８と、ＰＡＣ供給ライン３８に設けたＰＡＣタンク３７からＰＡＣ注入部２３にＰＡＣを圧送するＰＡＣ注入ポンプ３９と、前処理水供給ライン２１からＰＡＣ供給ライン３８への逆流を防止する逆止弁４０と、注入されたＰＡＣを原水中に均一に混合するラインミキサー２４から構成されている。
【００５３】
本実施例の場合、濁度計２２の測定範囲は０〜１００度であり、濁度計２２の計測データによりＰＡＣ注入ポンプ３９を制御してＰＡＣの注入量を調整している。また、ＰＡＣタンク３７は、水位計３７ａを備えた容量２０Ｌのポリエチレン製角型であり、ＰＡＣ注入ポンプ３９はφ４×２０Ｗのダイヤフラム式定量ポンプを使用して構成している。
【００５４】
逆洗機構１３は、除濁濾過塔１１内に収納されている繊維濾過材２７を逆洗洗浄するための機構であり、ＰＡＣ注入部２３の上流側の分岐点４３で前処理水供給ライン２１から分岐して合流点４４で前処理水ライン２９に合流する逆洗水供給ライン４５と、逆洗水供給ライン４５に設けたバルブ（二方弁）４６と、バルブ（三方弁）２５と接続部４８との間を接続する逆洗水排水ライン４９と、除濁濾過塔１１の下流側の合流点４４から逆洗水排水ライン４９に合流する濾過排水ライン５０と、濾過排水ライン５０に設けたバルブ（二方弁）４７とから構成されている。また、接続部４８に接続した排水ホース５１を介してユニット外に逆洗水を排水することができる。
【００５５】
本発明の除濁ユニットでは、このように膜ユニットから供給される原水で除濁濾過塔１１を逆洗する原水逆洗方式を採用することにより、除濁ユニット用の逆洗ポンプ、逆洗タンク等の洗浄設備を不要とし、除濁ユニットの小型化とコストの削減を図っている。
【００５６】
空洗機構１４は、繊維濾過材２７の逆洗洗浄と同時に空洗を行い、短時間で強力な洗浄効果を得るための機構であり、２台のエアブロワ５２、５２と、エアブロワ５２、５２から除濁濾過塔１１内の繊維濾過材２７の下部に空気を送り込む空気供給ライン５３と、空気供給ライン５３に設けた空気の供給を制御するバルブ（二方弁）５４及び除濁濾過塔１１内部からの逆流を防止する逆止弁５５とから構成されている。
【００５７】
本例の場合、エアブロワには、除濁濾過塔の空洗に通常使用されるルーツブロワではなく、ダイヤフラムブロワを使用している。ダイヤフラムブロワを使用した理由は、ルーツブロワはＡＣ２００Ｖ電源が必要であるため、設置場所にＡＣ２００Ｖ電源を設ける必要が生じることと、ルーツブロワは、除濁ユニット内の設置スペースが大きくなり、除濁ユニットをコンパクトに構成することができないためである。そのため、コンパクトでＡＣ１００Ｖ電源を使用することができるダイヤフラムブロワ（０．３５ｋＷ）を使用することとし、除濁濾過塔１１の空洗に必要な風量を確保するため、２台のダイヤフラムブロワを設置している。
【００５８】
さらに、エアブロワを固定金具で、固定しておくとよい。固定金具にブロワのずれ防止柵を設けバンドでエアブロワを固定すれば、除濁ユニット可搬時にブロワの移動や落下を防ぐことができる。また、ブロワ固定用金具を枠体から引出せるようにしておくと、メンテナンスの際にブロワを上側から取出す必要がなくなり、ブロワ設置スペースを抑えることができるので、除濁ユニットをコンパクトにすることができる。
【００５９】
制御盤１５は、除濁ユニット２を自動的に運転するための装置であり、ＰＬＣ（Programmable Logic Controller）を使用したシーケンス制御により、予め設定した条件に従って除濁濾過塔１１の逆洗洗浄と空洗を行い、除濁濾過塔１１に収納した繊維濾過材２７の濾過処理能力を回復させている。また、制御盤１５は、濁度計２２の計測データに基づいて、ＰＡＣ注入ポンプ３９の作動を制御し、供給される原水の濁度に連動したＰＡＣ量を注入することで、原水の濁度が変動しても除濁濾過塔１１が安定した濾過性能を発揮できるようにしている。
【００６０】
このため、制御盤１５は、制御シーケンス及び濁度計２２、３５、流量計３３からの計測データに基づき、ＰＡＣ注入ポンプ３９、エアブロワ５２、５２の作動を制御するとともに、これらの制御に伴ってバルブ（三方弁）２５の流路切換、バルブ（二方弁）４６、４７、３４、５２の開閉を制御する。
【００６１】
本例では、枠体１６はステンレス鋼（ＳＵＳ）のＬ型材を接合して製作されており、枠体の内部に各部を組み込んだ状態の外観は図２に示すとおりとなる。また、枠体１６の底部には搬送手段としてキャスター５６を設けている。この状態での除濁ユニット２の外形寸法は、幅６５０ｍｍ、奥行き８００ｍｍ、高さ約２２４０ｍｍであり、質量は約２５０ｋｇである。
【００６２】
以上、除濁ユニット２の基本構成を説明したが、前述のとおり、除濁ユニット２に使用した除濁濾過塔１１はφ３００の繊維濾過塔であり、その全長は約２ｍである。このため、除濁濾過塔１１を縦長状に枠体１６内に取付けた状態では、除濁ユニット２の床面からの全高は２．２ｍ以上となり、一般的な建物の片扉の高さ１．８ｍを超えているため、建屋の内部に搬入することができない。そのため、本発明の除濁ユニットは、建屋への搬入時には簡単に分解して除濁ユニットの高さを低くし、搬入後に簡単に再組立てができるように構成している。
【００６３】
その一つは、除濁濾過塔１１の取外しが可能なように構成した点である。図２に示すように、除濁ユニット２の側面側（右側面）の枠体１６に切欠き部６０、６０を設け、この切欠部６０の幅を除濁濾過塔１１の直径より大きくしているので、除濁濾過塔１１のフランジ部６１で除濁濾過塔１１を上下に分解すると、図３に示すように、除濁濾過塔１１のフランジ部６１よりも上方の部分６２は、矢印６３が示すように、切欠き部６０を通過して着脱することができる。
【００６４】
この切欠き部６０を常時設けておくと枠体全体の強度が低下するので、除濁濾過塔１１の取付けが完了した後は、図２に示すように、Ｌ型部材６５をボルト６６で枠体１６に取付けて切欠き部６０を閉鎖する。なお、図３に示すように、着脱する除濁濾過塔１１の部分６２にステンレス板６７を巻き付け、このステンレス板をボルト６８でＬ型部材６５に固定しておくと、除濁濾過塔１１の着脱作業が容易になる。
【００６５】
除濁ユニット２を簡単に分解し高さの低くするためのもう一つの構成は、制御盤１５の上端より上方に延設したラインについては、制御盤１５の上端の位置に接合部を設け、制御盤１５の上端を超える部分を取外し可能としたことである。図２に示すように、制御盤１５の上端を超えるラインについては、制御盤１５の上端の位置にユニオン継手７０を設け、ユニオン継手７０より上方となる部分を取り外し可能としている。なお、本実施例では、ユニオン継手により接合部を設けたが、ラインに接合部を設ける方法はこれに限定されるものではなく、適宜な手段を用いることができる。
【００６６】
除濁濾過塔１１のフランジ部６１よりも上方の部分６２を取り外した状態を図４に示すが、図４に示すように、この状態の除濁ユニットの最も高い部分は制御盤１５の上端であり、この上端は床面から約１７５０ｍｍとなる。また、この分解した状態での除濁ユニット２本体の質量は約２１０ｋｇである。
【００６７】
このように除濁ユニット２を分解することにより、外形寸法は幅６５０ｍｍ、奥行き８００ｍｍ、高さ約１７５０ｍｍ、質量は約２１０ｋｇとなるので、高さ約１．８ｍ、幅７００ｍｍの一般的は建物の片扉から人力により搬入し、内部で組立てることが可能であるので、既存の建屋を利用することができる。
【００６８】
続いて、図１により膜ユニット３の構成について説明する。 図１において、膜ユニット３内には、一次側に原水供給ライン８０からバルブ（三方弁）８１で切換え可能に接続した膜供給水ライン８２を接続し、二次側には濾過水ライン８３を接続した中空糸膜モジュール８４と、濾過水ライン８３に接続した逆洗水貯留ライン８５を介して濾過水を流入させて貯留する逆洗水槽８６と、この逆洗水槽８６に貯留した逆洗水（濾過水）を逆洗ポンプ８７を介して中空糸膜モジュール８４に逆洗洗浄用の逆洗水として流出させる逆洗水供給ライン８８と、中空糸膜モジュール８４を逆洗した逆洗水をユニット外に排出するための逆洗水排水ライン８９と、中空糸膜モジュール８４を逆洗洗浄する際に同時に中空糸膜モジュール８４を空洗（エアスクラビング）する空気を供給するコンプレッサ９１と、原水供給ライン８０内を流れる原水に消毒用次亜を注入する次亜注入機構９２と、膜ユニット３の運転を制御する制御盤９４と、取水ポンプ９５とを備えている。また、接続部９と膜供給水ライン８２との間は、接続ライン９０により接続されている。なお、図１に示すように、取水ポンプ９５を除いた各部は、枠体９６内に収納されている。
【００６９】
また、膜ユニット３は、ワンタッチ継手を用いた接続部を接続部７、９の他に３個所備えており、接続部１０１には原水供給ライン８０と取水ホース１０２が、接続部１０３には逆洗水排水ライン８９と排水ホース１０４が、接続部１０７には濾過水ライン８３と給水ホース１０８が接続されている。
【００７０】
原水供給ライン８０は、接続部１０１とバルブ（三方弁）８１とを接続する管路であり、ストレーナ１１１、バルブ（二方弁）１１二次亜注入部１１３、流量計１１４を設けている。バルブ（三方弁）８１は、原水供給ライン８０内の原水の流れを、除濁ユニット２で前処理する場合には分岐ライン１１５へと、除濁ユニット２で前処理しない場合には中空糸膜モジュール８４へと切り替えるためのバルブである。
【００７１】
ストレーナ１１１は、原水が除濁ユニット２又は中空糸膜モジュール８４に流入するに先立って、原水に含まれるゴミ（土、砂、その他夾雑物）を除去するために設けてあり、本例では、目開き寸法２００μｍのディスク型ストレーナを使用している。ストレーナ１１１には差圧計１１１ａが装備され、ストレーナ１１１の目詰まり異常を検知することができる。
【００７２】
本発明の可搬型水処理装置では、除濁ユニット２で前処理を行う場合でも、先ず原水がストレーナ１１１を通過するように構成しており、原水をストレーナ１１１、除濁ユニット２、中空糸膜モジュール８４の順に直列処理することで、除濁ユニット２にストレーナを省略し、除濁ユニット２のコンパクト化を図っている。
【００７３】
流量計１１４は、原水供給ライン８０を流れる原水の流量を測定し、バルブ（二方弁）１１２は流量計１１４の測定データに基づいて原水供給ライン８０を流れる原水の流量を一定流量に制御するとともに、中空糸膜モジュール８４又は除濁ユニット２への原水の供給を制御している。
【００７４】
中空糸膜モジュール８４は、ＭＦ膜又はＵＦ膜の中空糸膜フィルタ（濾過膜）を収納しており、デッドエンド方式により原水に含まれる一般細菌、病原菌、懸濁物質（ＳＳ）などを濾過除去する。本例では、公称孔径０．１μｍで膜面積２３ｍ２のＭＦ膜フィルタを使用している。
【００７５】
中空糸膜モジュール８４には、内部に収納されたＭＦ膜又はＵＦ膜のフィルタを逆洗洗浄及び空洗する際に、逆洗水等を中空糸膜モジュール８４の外部に排水するための逆洗水排水ライン８９が設けられており、中空糸膜モジュール８４から排水された逆洗水等を接続部１０３に接続した排水ホース１０４を介して膜ユニット３の外部に排水している。また、この逆洗水排水ライン８９には、制御盤９４により開閉が制御されるバルブ（二方弁）１１７が設けられ、逆洗水等の中空糸膜モジュール８４からの排水を制御している。また、中空糸膜モジュール８４にも差圧計８４ａを装備し、ＭＦ膜又はＵＦ膜のフィルタ目詰まり異常を検知する。
【００７６】
中空糸膜モジュール８４の二次側には濾過水ライン８３が接続され、この濾過水ライン８３により中空糸膜モジュール８４が濾過処理した濾過水を接続部１０７に接続した給水ホース１０８を介して膜ユニット３の外部に給水する。濾過水ライン８３には、制御盤９４により開閉が制御されるバルブ（二方弁）１１８が設けられ、可搬型水処理装置１の外部への濾過水の給水を制御している。
【００７７】
逆洗水貯留ライン８５は、中空糸膜モジュール８４が濾過処理した濾過水を濾過水ライン８３から分岐させ、逆洗水槽８６に供給するためのラインである。逆洗水貯留ライン８５には、制御盤９４により開閉が制御されるバルブ（二方弁）１１９が設けられ、逆洗水槽８６への濾過水の供給等を制御している。
【００７８】
逆洗水槽８６は、逆洗水貯留ライン８５を介して供給される濾過水を貯留する容器であり、中空糸膜モジュール８４に収納されたＭＦ膜又はＵＦ膜のフィルタを逆洗洗浄する際に、貯留した濾過水を逆洗水として供給する役割を有している。本例では、逆洗水槽８６はポリエチレン樹脂製であり、容量６０Ｌの角型に成形されている。
【００７９】
この逆洗水槽８６の内部には、水位計８６ａが設けられており、この水位計８６ａによって、逆洗水槽８６が逆洗水で満水になったこと、また逆洗水槽８６が空になったことを検知し、制御盤９４に送信している。  
【００８０】
逆洗ポンプ８７は、逆洗水槽８６内に貯留した逆洗水を中空糸膜モジュール８４の二次側に圧送し、中空糸膜モジュール８４に収納されたＭＦ膜又はＵＦ膜のフィルタを逆洗洗浄するためのポンプであり、逆洗水槽８６の流出口１２０と逆洗水貯留ライン８５を連結する逆洗水供給ライン８８に設けられている。本例では、逆洗ポンプ８７として、ステンレス製の横軸渦巻ポンプ（０．４ｋＷ、３２Ａ）を使用している。可搬型水処理装置１で最も電力を消費するのはこの逆洗ポンプ８７であるが、本例の逆洗ポンプ８７の諸元は前記のとおりなので、電源として家庭用ＡＣ１００Ｖコンセントの使用が可能である。
【００８１】
また、逆洗水供給ライン８８の逆洗ポンプ８７の二次側には逆止弁１２１を設け、逆洗水貯留ライン８５から濾過水が流入することを防止している。
【００８２】
膜ユニット３では、枠体９６内の縦方向空間スペースに長尺状の中空糸膜モジュール８４を立てた状態で配設することにより、中空糸膜モジュール８４の垂直方向の設置面積を最小化する様にしており、これにより枠体９６の底面面積を最少化している。このように長尺状の中空糸膜モジュール８４を縦方向に枠体９６内に収納することにより、逆洗洗浄時に中空糸膜モジュール８４の下部からエアを送り、中空糸膜モジュール８４内の膜表面の懸濁物質を剥離させる空洗を実施することが可能となり、また逆洗効果も向上する。このため、膜ユニット３では、逆洗時に中空糸膜モジュール８４に空気を供給して空洗（エアスクラビング洗浄）するコンプレッサ９１と空気供給管１２３を設けている。また、空気供給管１２３に逆止弁１２４を設け、膜供給水ライン８２からの逆流を防止している。
【００８３】
次亜注入機構９２は、原水供給ライン８０を流れる原水に消毒用の次亜を注入する装置であり、原水供給ライン８０を流れる原水に次亜を注入する次亜注入部１１３と、次亜を貯留する次亜タンク１２７と、次亜タンク１２７と原水供給ライン８０に設けた次亜注入部１１３との間を接続する次亜供給ライン１２８と、次亜供給ライン１２８に設けた次亜タンク１２７から次亜注入部１１３に次亜を圧送する次亜注入ポンプ１２９と、原水供給ライン８０から次亜供給ライン１２８への逆流を防止する逆止弁１３０とから構成されている。本実施例では、次亜タンク１２７はポリエチレン樹脂製であり、容量２５Ｌの角型に成形されており、次亜注入ポンプ１２９として、ダイヤフラム式定量ポンプ（２０W、φ４×９）を使用している。次亜タンク１２７の内部には、水位計１２７ａが設けられており、この水位計１２７ａによって、次亜タンク１２７が空になったことを検知し、制御盤９４に送信している。  
【００８４】
以上の説明では、原水供給ライン８０に次亜注入部１１３を設け、除濁ユニット２に原水を分岐する前に次亜を注入しているが、次亜注入部１１３を膜モジュール８４の二次側に設け、濾過処理された濾過水に次亜を注入するように構成することもできる。
【００８５】
除濁ユニット２に原水を分岐する前に次亜を注入すると、除濁ユニット２内の細菌や微生物の繁殖を抑制できる効果がある反面、原水中の有機物や還元性無機物などにより遊離残留塩素が消費されるため、次亜の注入量が多くなるとともに、原水濁度が変動する場合には、濁度に応じて適切に次亜の注入量を調整しないと、遊離残留塩素濃度が低下するおそれがある。また、中空糸膜モジュール８４の二次側で次亜を注入すると、次亜を濾過水に注入するため残留塩素の消費が少なく、安定した残留塩素濃度の確保ができる効果がある反面、除濁ユニット２内に遊離残留塩素が存在しないので、除濁ユニット２で細菌や微生物が繁殖するおそれがあるため、定期的に遊離残留塩素を含んだ水で逆洗する作業が必要となる。
【００８６】
制御盤９４は、膜ユニット３を自動運転する装置であり、ＰＬＣ（Programmable Logic Controller）を使用したシーケンス制御により、予め設定した時間間隔毎に中空糸膜モジュール８４の逆洗洗浄とすすぎ洗浄を行い、中空糸膜モジュール８４の濾過処理能力を回復させている。中空糸膜モジュール８４では、デッドエンド濾過方式（全量濾過）により濾過処理を行っているため、中空糸膜モジュール８４に収納された膜表面に濾過対象物質が堆積するので、定期的に中空糸膜モジュール８４の逆洗洗浄とすすぎ洗浄を行って、堆積した濾過対象物質を除去し、濾過能力を回復させることが不可欠となる。
【００８７】
これに加え、制御盤９４は、逆洗水槽８６の内部に設置した水位計８６ａからの信号に基づき、取水ポンプ９５の作動、濾過水（逆洗水）の逆洗水槽８６への貯留、逆洗ポンプ８７と次亜注入ポンプ１２９の作動を制御しており、これらの制御に伴ってバルブ（三方弁）８１の流路切り替えとバルブ（二方弁）１１２、１１７、１１８、１１９の開閉操作を行っている。
【００８８】
取水ポンプ９５は、図示しない取水源から原水を取水して膜ユニット３に供給する長尺状のポンプであり、取水源の原水中に完全に水没させた状態で使用する。取水ポンプ９５と接続部１０１との間は、取水ホース１０２により連結されている。
【００８９】
枠体９６は、中空糸膜モジュール８４、逆洗水槽８６、逆洗ポンプ８７、次亜注入機構９２、制御盤９４、ストレーナ１１１及びこれらを連結するライン等を内包する部材であり本例では、枠体９６はステンレス鋼（ＳＵＳ）の型材を組み合わせて製作されている。
【００９０】
続いて、以上のように構成された可搬型水処理装置１の運転方法と作用を説明する。前述したように、可搬型水処理装置１では除濁ユニット２と膜ユニット３の機器を共用しているため、可搬型水処理装置１の運転においては、除濁ユニット２の制御盤１５と膜ユニットの制御盤９４により、除濁ユニット２と膜ユニット３を連動制御している。
【００９１】
可搬型水処理装置１の運転工程には、大別すると濾過工程、膜ユニット逆洗工程及び除濁ユニット逆洗工程の３工程がある。以下、図面により各工程を説明するが、図中、太い実線のラインは原水や濾過水等が流れていることを示し、矢印は流れの方向を示している。破線のラインは原水や濾過水等が流れていないことを示す。また、白色で表現されたバルブは開状態であることを示し、黒色で表現されたバルブは閉状態であることを示す。
【００９２】
図５は、可搬型水処理装置１の濾過工程の運転状況を示している。濾過工程は、取水した原水を除濁ユニット２で除濁した後に膜ユニット3に還流させ、膜ユニット３で濾過処理して清潔で安全な濾過水として可搬型水処理装置１の外部に給水する工程である。取水ポンプ９５が取水源から取水した原水は、加圧されて取水ホース１０２を介して膜ユニット３内の原水供給ライン８０に供給され、先ず原水供給ライン８０に設けたストレーナ１１１を通過して原水中に含まれるゴミが除去される。次いで、次亜注入部１１３から消毒用の次亜が注入され、流量計１１４、バルブ（三方弁）８１を通過した原水の流れは原水供給ライン８０から分岐ライン１１５へ供給される。
【００９３】
分岐ライン１１５は、接続部７を介して前処理水供給ライン４に接続されているので、原水は前処理水供給ライン４を経由して接続部６より除濁ユニット２の前処理水供給ライン２１に流れ込む。前処理水供給ライン２１を流れる原水は濁度計２２に濁度の計測が行われ、ＰＡＣ注入部２３から原水の濁度に応じた量の凝集剤（ＰＡＣ）が注入された後、ラインミキサー２４で原水中にＰＡＣが均一に含まれるように撹拌し、バルブ（三方弁）２５を通過して一次側から除濁濾過塔１１内に流入する。
【００９４】
除濁濾過塔１１を通過する際に、原水は内部に収納されている繊維濾過材２７により高速繊維濾過され、例えば、濁度１００程度の原水を濁度１０程度まで除濁することができる。濁度１０程度の水であれば、膜ユニット３で濾過処理しても膜閉塞は発生せず、継続的に安定した濾過処理することができる。
【００９５】
除濁濾過塔１１で除濁された原水は、二次側から前処理水ライン２９に流れ込み、接続部８に接続された前処理水ライン５を経由して接続部９から接続ライン９０を経て膜供給水ライン８２に供給される。膜ユニット３に還流した除濁後の原水は、膜供給水ライン８２から中空糸膜モジュール８４に供給される。
【００９６】
中空糸膜モジュール８４で濾過処理され、原水に含まれる一般細菌、病原菌、懸濁物質（ＳＳ）などが除去された濾過水は、濾過水ライン８３を流れ、接続部１０７に接続された給水ホース１０８により可搬型水処理装置１の外部に給水される。この濾過工程での可搬型水処理装置１の運転は、図示しない配水池や水槽に設けた水位計からの信号に基づいて除濁ユニット２の制御盤１５と膜ユニット３の制御盤９４が連動して制御しており、配水池や水槽に設けた水位計が満水を検知すると取水ポンプ９５の作動が停止されるとともに凝集剤注入機構１２及び次亜注入機構９２の作動が停止され、水面が一定レベルまで低下すると取水ポンプ９５の作動が再開されるとともに凝集剤注入機構１２及び次亜注入機構９２の作動が再開される。
【００９７】
図５に示す濾過工程の運転状況からも分かるように、可搬型水処理装置１は、取水ポンプ９５が取水した原水を膜ユニット３から除濁ユニット２に供給するように構成するとともに、除濁ユニット２の除濁濾過塔１１の二次側と膜ユニット３の中空糸膜モジュール８４の一次側とを直結し、除濁ユニット２と膜ユニット３とを直列配置にしているため、取水ポンプ９５のみで取水した原水を除濁ユニット２と膜ユニット３に供給可能であり、除濁ユニット２には送水用のポンプが不要になる。
【００９８】
これに対して、除濁ユニット２と膜ユニット３とを直列配置することなく、除濁ユニットと膜ユニットを独立させて接続した場合には、除濁ユニット２に取水用のポンプが必要になるとともに、除濁ユニット２が除濁処理した原水を貯留して膜ユニットのポンプに取水させる前処理槽が必要となり、さらには、除濁ユニット２と膜ユニット３で個別に定量制御を行う必要があるので、制御機構が複雑になる。
【００９９】
このように、本発明の可搬型水処理装置では、除濁ユニットと膜ユニットとを直列配置した構成とすることで、除濁ユニットの送水ポンプと、除濁ユニットと膜ユニットとの間の前処理槽を不要とするとともに、双方のユニットの制御機構を簡単化することにより、可搬型水処理装置のコンパクト化、軽量化及びコストの削減を図っている。
【０１００】
可搬型水処理装置１では、除濁ユニット２の除濁濾過塔１１と膜ユニット３の中空糸膜モジュール８４を濾過工程が一定時間経過する毎に逆洗洗浄して濾過能力を回復させる必要があり、この逆洗洗浄は除濁ユニット２の制御盤１５と膜ユニット３の制御盤９４が連動制御している。
【０１０１】
図６は、膜ユニット逆洗工程の準備として、中空糸膜モジュール８４が濾過処理した濾過水を逆洗水槽８６に貯留する工程を示している。濾過工程との違いは、濾過水ライン８３に設けたバルブ（二方弁）１１８を閉状態にするとともに、逆洗水貯留ライン８５に設けたバルブ（二方弁）１１８を開状態として、中空糸膜モジュール８４が濾過処理した次亜を含む濾過水を外部に供給せずに逆洗水槽８６に貯留するようにしている点である。逆洗水槽８６への濾過水の貯留は、逆洗水槽８６に設けた水位センサ８６ａが満水を検知するまで行われる。
【０１０２】
逆洗水槽８６に設けた水位センサ８６ａが満水を検知すると、膜ユニット逆洗工程に移行する。逆洗工程では、図７に示すように、逆洗水供給ライン８８に設けた逆洗ポンプ８７を作動させるとともに、逆洗水排水ライン８９に設けたバルブ（二方弁）１１７を開状態とする。これにより、逆洗水槽８６内に貯留した逆洗水は逆洗水排水ライン８９を介して中空糸膜モジュール８４の二次側からその内部に圧送され、中糸膜モジュール８４に収納された中空糸膜を逆洗洗浄した後、逆洗水排水ライン８９に接続した排水ホース１０４を介してユニット外に排出される。同時に、コンプレッサ９１も作動し、洗浄エアを中空糸膜モジュール８４の一次側からモジュール内に供給し、モジュール内に収納されている中空糸膜を空洗（エアスクラビング）する。
【０１０３】
逆洗水槽８６内の逆洗水が全て流出したことを水位センサ８６ａが検知すると逆洗ポンプ８７とコンプレッサ９１を停止させ膜ユニット逆洗工程は終了し、除濁ユニット逆洗工程に移行する。
【０１０４】
除濁ユニット逆洗工程では、図８に示すように、膜ユニット３から次亜を注入した原水が逆洗水として前処理水供給ライン４を介して除濁濾過塔１１の二次側から内部に供給され、収納されている繊維濾過材２７を逆洗洗浄する。同時に、２台のエアブロワ５２、５２も作動して除濁濾過塔１１内に洗浄エアを供給し、収納されている繊維濾過材２７を空洗（エアスクラビング）する。
【０１０５】
除濁ユニット逆洗工程は制御盤１５で設定した時間継続され、設定された時間が経過すると除濁ユニット逆洗工程を終了し、除濁ユニット濾過排水工程に移行する。濾過排水工程では、図９に示すように、除濁ユニット２内の除濁濾過塔１１で除濁した原水を合流点４４から濾過排水ライン５０、逆洗水排水ライン４９、接続部４８、排水ホース５１を経由して排水する工程であり、水質の安定しない初期除濁水を膜ユニット３に送ることなく、外部に排水するために実施する。
【０１０６】
このように、除濁ユニット２の除濁濾過塔１１の逆洗工程等では、膜ユニット３から供給される次亜が注入された原水を使用して逆洗洗浄を行うため、除濁ユニット２内に逆洗水槽や逆洗ポンプを設ける必要がないので、除濁ユニット２をコンパクトかつコストを削減して構成することができる。
【０１０７】
一方で、可搬型水処理装置１では、除濁ユニット２と膜ユニット３を連動させ、双方の機器を共用するようにしてコンパクトに構成されているため、除濁ユニット２又は膜ユニット３のどちらかが逆洗運転等を行う際には、図６、図８及び図９に示すように、他のユニットはその逆洗運転等を支援するように作動する必要があり、原水の濾過処理を行えない。除濁ユニット２と膜ユニット３の逆洗運転等を予め設定した運転時間毎に実施するように制御すると、除濁濾過塔１１や中空糸膜モジュール８４に十分な濾過能力が残っているにも係わらず制御シーケンスに従って逆洗運転を行い、可搬型水処理装置１の濾過処理時間を圧迫することになる。
【０１０８】
このため、除濁ユニット２及び膜ユニット３の逆洗運転等の時間を必要最小限として可搬型水処理装置１の浄水量を確保するため、可搬型水処理装置１では、原水の濁度に応じて逆洗頻度を変更する制御を行っている。具体的には、取水した原水の濁度を除濁ユニット２の濁度計２２で計測し、例えば、表１に示すように、原水濁度に対応した時間間隔で逆洗運転を実施するように可搬型水処理装置１を制御することにより必要のない逆洗運転の実施を防止し、可搬型水処理装置１の浄水量を確保している。なお、表１に示した原水濁度と洗浄頻度の関係はあくまでも一例であって、原水濁度と洗浄頻度の関係は、除濁濾過塔や中空糸膜の濾過性能により当然に異なるので、実際の装置を使用して設定する必要がある。
【０１０９】
【表１】
2020066002.tif 000003
【０１１０】
次に、他の発明における可搬型水処理装置の基本構成を説明する。図１０は、他の発明における可搬型水処理装置の模式図である。図１０に示すように、可搬型水処理装置１４１は、除濁ユニット本体１４２と膜ユニット１４３とを直列に使用し、原水槽１４４からポンプ１４５により原水を取水し、原水供給ライン１４６で除濁ユニット１４２の一次側に供給して除濁処理した後、除濁ユニット１４２の二次側に設けた除濁処理ライン１４７を介して膜ユニット１４３に供給し、除濁処理と膜濾過処理した浄水を浄水槽１４８に供給するように構成されている。
【０１１１】
このように、可搬型水処理装置１４１を構成することにより、除濁ユニット本体１４２と膜ユニット１４３とを直列配置しない場合に必要となる除濁ユニット本体１４２と膜ユニット１４３との間の前処理水槽とポンプとを不要とすることができるとともに、除濁ユニット本体１４２と膜ユニット１４３の各々で定量制御する必要がなくなる。
【０１１２】
これにより、除濁ユニット本体１４２と膜ユニット１４３に重複して機器を配置する必要がなく、また制御機構の複雑化を避けることができるので、可搬型水処理装置１４１をコンパクトに構成することができるとともに、製造コストを削減することができる。
【０１１３】
なお、除濁ユニット本体１４２と膜ユニット１４３の構成要素は、原水供給ライン１４６と除濁処理ライン１４７とを除き、概ね同一であるので、詳細な説明を省略する。また、可搬型水処理装置１４１の運転工程と各工程での運転状況は、可搬型水処理装置１と同様であるので、説明を省略する。
【０１１４】
さらには、除濁ユニットのみ単独で使用してもよい。このとき、次亜タンクやポンプなどの機器を組込んだ装置ユニットを接続し、除濁ユニットのみ単独で使用してもよい。また、膜ユニット内に組み込まれた機器を利用して除濁ユニットのみ単独で使用してもよい。
【０１１５】
以上の説明から明らかなように、本発明に係る除濁ユニットと膜ユニットの可搬型水処理装置は、小型かつコンパクトに構成され、小規模浄水場や災害現場などへの搬送及び設置が容易であり、安定した膜濾過が可能である。また、除濁ユニットと膜ユニットを切り離した状態であっても、各ユニットは独立してそれぞれの機能を発揮することができるので、原水の状態に応じて使い分けが可能であり、過疎化等により人口が減少した小規模集落の水道施設用の浄水装置としての利用価値は極めて大きいものがある。
【０１１６】
次に、除濁ユニットの他の実施形態を説明する。本実施形態では、除濁ユニットの除濁濾過塔を枠体から安全に取出及び組立できるようにしている。
【０１１７】
本例における除濁濾過塔１１は、全長が約２ｍで重さが約４０ｋｇあり、除濁濾過塔１１を持ち上げて、枠体１６の側面側より取出又は組立する。また、除濁濾過塔１１の下部にはフランジの下から、ストレーナ用パイプ部材が突出しているので、作業者はパイプ部材を破損しないように注意して作業することになる。
【０１１８】
そして、除濁濾過塔１１の胴体には持ち手がなく、除濁濾過塔１１を持ち上げて安全に配慮しながら作業することから、作業性がよくない。
【０１１９】
そこで、本実施形態では、除濁ユニットの除濁濾過塔１１を回動させて容易に枠体から離脱又は組立可能にする回動機構を設けている。
【０１２０】
以下の説明において、前述の実施形態と同一であるところは同一の符号を付して詳細な説明を省略する。図１１は、除濁ユニットの除濁濾過塔の取出・取付の説明図であり、（ａ）は一部切欠いた除濁ユニットの説明図、（ｂ）は（ａ）の要部拡大図、（ｃ）は除濁濾過塔の取出時の回動後の要部拡大図、（ｄ）は取出又は取付途中の要部拡大図、（ｅ）は除濁濾過塔の取付時の回動後の要部拡大図である。図１２は、除濁濾過塔が回動するときの説明図である。
【０１２１】
図１１（ａ）に示すように、除濁濾過塔１１は除濁ユニット２の枠体１６に収容されており、枠体１６には除濁濾過塔１１を回動可能にする回転軸１７を設けている。除濁濾過塔１１は保持枠体１８で保持されており、保持枠体１８の下部にはフック部材１９を有している。
【０１２２】
フック部材１９は切欠き部１９ａを有し、切欠き部１９ａには第１係合部１９ｂと第２係合部１９ｃを有している。このフック部材１９が第１係合部１９ｂ又は第２係合部１９ｃで回転軸１７と係合して、保持枠体１８を介して除濁濾過塔１１を回動させて離脱及び組立を可能にする。
フック部材１９の切欠き部１９ａは、略Ｔ字の溝に形成され、第１係合部１９ｂと第２係合部１９ｃとは、前記略Ｔ字の一部を構成するＬ字の溝を連続的に構成している。そして、図１１（ｅ）のように除濁濾過塔１１が垂直状態に位置するときには、第１係合部１９ｂは第２係合部１９ｃの上方に位置するように配置している。
なお、フック部材１９の切欠き部１９ａの形状や、切欠き部１９ａの係合部の位置や形状等は、回動軸１７に対して除濁濾過塔が所定の回動範囲であれば任意に設定することができる。
【０１２３】
ここで、第１係合位置とはフック部材１９が第１係合部１９ｂで回転軸１７と係合するときの係合位置であり、第２係合位置とはフック部材１９が第２係合部１９ｃで回転軸１７と係合するときの係合位置である。図中、破線で囲まれた部分において、フック部材１９と回転軸１７が係合している。
【０１２４】
図１１（ｂ）に示すように、除濁濾過塔１１が除濁ユニット２の枠体１６内に収容されて取付及び固定されているとき、フック部材１９と回転軸１７は、第１係合位置で係合している。図に示すように、除濁濾過塔１１の下フランジ６１の下側近傍に回転軸１７を配設している。
【０１２５】
また、図１２に示すように、回転軸１７は、除濁濾過塔１１が回動するときに、除濁濾過塔１１から突き出したパイプ部材２８が下フランジ６１と当たらない位置に設けている。すなわち、除濁濾過塔１１が回動するとき、回転軌道に対して内側のパイプ部材２８及び外側のパイプ部材２８が除濁濾過塔１１の内壁に当たらないように回転軸１７の位置を設定している。回転軸１７の位置は、除濁濾過塔１１の下フランジ６１よりも下側で、下フランジ６１に近い位置が好ましい。回転軸１７の位置は、除濁濾過塔１１が所定の回動範囲であれば任意に設定することができる。
このように、回転軸１７を設定しているから、作業時にパイプ部材２８や他の部材を損傷させる心配がなく、かつ、重い除濁濾過塔１１を枠体１６内で持ち上げる必要がないので、作業性の向上を図ることができる。
【０１２６】
続けて、除濁濾過塔１１の取出動作について説明する。図１１（ｂ）に示すように、第１係合位置で係合している状態で、ユニオン継手７０を取り外してから、除濁濾過塔１１のフランジ６１の固定ボルトを外し、除濁濾過塔１１を枠体１６の側面側から回動させる。このとき、作業者は保持枠体１８を掴みながら、除濁濾過塔１１をゆっくり傾けて除濁濾過塔１１を回動させるので１人でも安全である。図１１（ｃ）に示すように、除濁濾過塔１１を取出できる位置まで回動させたとき、回転軸１７とフック部材１９は、第１係合位置で係合している。次に、図１１（ｄ）に示すように、回転軸１７とフック部材１９の係合位置を第２係合位置にしてから、除濁濾過塔１１を取出す。第２係合位置のとき除濁濾過塔１１を取出せば、回動途中に除濁濾過塔１１がずり落ちるのを防止できる。また、フック部材１９を設けているので、除濁濾過塔１１を回動後に、仮置き状態にしてから、安全に、除濁ユニット２から取出しできる。
【０１２７】
このように、フック部材１９が回転軸１７に係合して回転軸１７に対して保持枠体１８を回動させることで、除濁濾過塔１１の回動が安定し、作業者１人でも安全に除濁濾過塔１１を枠体１６から取出できるので、作業性が向上する。
【０１２８】
続けて、除濁濾過塔１１の取付動作について説明する。図１１（ｄ）に示すように、フック部材１９と回転軸１７を第２係合位置で係合させる。次に、保持枠体１８が枠体１６に接触するまで側面方向から除濁濾過塔１１を起こして回動させる。このとき、作業者は保持枠体１８を掴んで除濁濾過塔１１を回動させるので１人でも安全である。図１１（ｅ）に示すように、除濁濾過塔１１が垂直状態になる位置まで回動させたとき、回転軸１７とフック部材１９は、第２係合位置で係合している。このとき、除濁濾過塔１１の下フランジ６１、６１との間には隙間が形成されている。このため、パッキンの位置合わせや除濁濾過塔１１の位置確認をすることができるので、除濁濾過塔１１内部からの水漏れを確実に防止することができる。
【０１２９】
そして、フック部材１９を第１係合位置に移動させると、図１１（ｂ）に示すように、除濁濾過塔１１の取付及び固定位置となり、下フランジ６１の固定ボルトを取付けて除濁濾過塔１１を固定して、除濁濾過塔１１を組立てることができる。
【０１３０】
このように、回転軸１７に対し、保持枠体１８と共に除濁濾過塔１１を回動させて、枠体１６から離脱又は組立できるようにしたので、除濁濾過塔１１を枠体１６内で持ち上げることなく作業者が１人でも安全に作業することができ、作業性の向上を図ることができる。
【０１３１】
このような、回転軸を介した除濁濾過塔の回動機構は、除濁ユニットと膜ユニットが一体となった可搬型水処理装置に設けることができる。また、除濁ユニットと膜ユニットとを分離可能な可搬型水処理装置において、除濁濾過塔を有する除濁ユニットに設けてもよい。さらには、可搬型水処理装置以外の他の装置において、枠体に収容された濾過塔などを取出・組立するために、このような回動機構を設けてもよい。
【０１３２】
次に、本発明おける他の実施形態の除濁ユニットと膜ユニットの可搬型水処理装置について説明する。本実施形態は、次亜注入部１１３を中空糸膜モジュール８４の二次側にしているが、その他の構成は前述の実施形態の構成と同様である。
【０１３３】
前述の実施形態では、次亜注入点を除濁ユニット２に原水が分岐する前としており、すなわち、図８の場合、除濁ユニット２の除濁濾過塔１１内を洗浄消毒するには、逆洗工程において、水逆洗（工程）、水＋空洗（工程）時に次亜注入し、除濁濾過塔１１の洗浄消毒をするので次亜の消費量が多くなってしまう。
【０１３４】
一方で、次亜注入点を膜ユニット３の中空糸膜モジュール８４の二次側にしたときには、次亜の消費を減らし、濁質を含んだ原水と次亜の反応による生成物の発生を抑えることができるけれども、除濁ユニット２の逆洗水に直接次亜を注入することができない。
【０１３５】
そこで、本実施形態では、除濁ユニットに新たに次亜注入機構を設けることなく、除濁ユニットの除濁濾過塔内に消毒用次亜を注入し、洗浄消毒できるようにした。以下の説明において、前述の実施形態と同一の構成は同一の符号を付し詳細な説明を省略する。
【０１３６】
図１３は、本実施形態における除濁濾過塔１１の洗浄消毒方法のフロー図である。本実施形態では、逆洗工程の後に除濁濾過塔１１の洗浄消毒工程を実施し、さらに圧密工程を実施している。すなわち、前述の可搬型水処理装置の実施形態と同様の逆洗工程（図８）の後に、洗浄消毒工程と圧密工程を追加している。
【０１３７】
図１４を用いて説明すると、本例では、逆洗工程に入る前に、先ず、膜ユニット３の中空糸膜モジュール８４の二次側に設けた次亜注入機構９２から、膜ユニット３の逆洗水槽８６に消毒用の次亜を注入し、前述の図６の膜ユニット３逆洗水貯留工程と同様の動作で逆洗水槽８６に次亜を含んだ洗浄水（次亜水）を貯留する（Ｓ１）。ここで、予め次亜水を逆洗水槽８６に貯めるので、次亜の消費量を減らすとともに所望の濃度に調整が可能になる。ただし、次亜水の濃度は、後述する次亜水充水工程（Ｓ４）後の原水充水工程（Ｓ５）による希釈と塩素消毒量を考慮して高い濃度に設定する必要がある。
【０１３８】
次に、水逆洗（工程）、水＋空洗（工程）、空洗（工程）を繰り返し、除濁ユニット２を逆洗する（Ｓ２）。除濁ユニット２逆洗工程の動作は、前述の図８と同様であるから説明は省略する。逆洗後、エアブロワ５２、５２で除濁濾過塔１１内の逆洗水を、逆洗水排水ライン４９から排水ホース５１を経由させて強制的に排水する（Ｓ３）。
【０１３９】
除濁ユニット２の逆洗工程が終わると、除濁濾過塔内の洗浄消毒工程に入る。図１４に示すように、膜ユニット３の逆洗水槽８６に貯留した次亜を含んだ洗浄水（次亜水）を逆洗ポンプ８７で送水し、膜ユニット３の中空糸膜モジュール８４を経由して、除濁ユニット２の除濁濾過塔１１内に次亜水を充水する（Ｓ４）。
このとき、中空糸膜モジュール８４を経由することで、除濁ユニット２に新たな次亜注入機構を設けなくても、除濁ユニット２の除濁濾過塔１１内に次亜水の充水が可能となり、膜ユニット３の逆洗ポンプ８７を利用して、除濁ユニット２の除濁濾過塔１１内に次亜水を充水するから、除濁ユニット２と膜ユニット３に用いる次亜注入機構９２を共用することができ、可搬型水処理装置のコンパクト化に寄与する。このように、次亜注入点を変更した場合でも、可搬型水処理装置内の既存の機器のみで対応することができる。
【０１４０】
図１５に示すように、除濁ユニット２の前処理水供給ライン４と逆洗水供給ライン４５から原水を供給して、除濁濾過塔１１内が満水になるように原水で充水する（Ｓ５）。除濁濾過塔１１内が次亜水で満たされると、濾過塔内の全体を消毒可能になる。このとき、除濁ユニット２の前処理水供給ライン４と逆洗水供給ライン４５を使用して原水を充水するので、中空糸膜モジュール８４には原水が流入しない。
【０１４１】
次に、除濁濾過塔１１内の全体が次亜水で満たされた状態で、充水した次亜水をエアブロア５２、５２で所定時間、空気攪拌して除濁濾過塔１１内の全体を洗浄消毒する（Ｓ６）。
【０１４２】
空気攪拌工程後、前述の図８と同様の除濁ユニット２の逆洗機構１３によって、除濁濾過塔１１内を原水でリンス（水洗）して除濁濾過塔１１内の汚れや充水した次亜水を排水する（Ｓ７）。なお、このとき除濁濾過塔１１内の繊維濾過材２７は逆洗によって復帰した状態、すなわち、繊維濾過材２７が伸びた状態になっている。リンス工程が終ると濾過塔内の洗浄消毒工程は終了する。
【０１４３】
除濁濾過塔１１の洗浄消毒工程が終わると、圧密工程に入る。図１６に示すように、所定の濾過流速で前処理水供給ライン４、２１から原水を供給して除濁濾過塔１１内の繊維濾過材２７を圧密する（Ｓ８）。
このとき、原水は濾過排水ライン５０と逆洗水排水ライン４９を経由して排水ホース５１より排水されるので、中空糸膜モジュール８４には原水が流入することはない。所定の濾過流速とは、除濁ユニット２が十分に濁質除去することができるように除濁濾過塔１１の繊維濾過材２７を圧密状態にする濾過流速である。なお、流量調整弁１１２を制御して濾過流速の調整をする。
このように、繊維濾過材２７を予め圧密状態にしてから、濾過排水工程に入るので、濾過排水が終れば濁質除去能力を発揮できる状態となりすぐに濾過をすることができると共に、原水流入量に依存することなく、濁質除去が可能となる。
【０１４４】
圧密工程後、図１７に示すように、原水を前処理水供給ライン４、２１から供給するとともに、ＰＡＣ供給ライン３８からＰＡＣを注入して除濁ユニット２の原水を濁質除去し、処理水質が安定するまで、濾過排水する（Ｓ９）。逆洗工程、除濁濾過塔内の洗浄消毒工程、圧密工程が終わり、処理水質が安定するまで濾過排水した後、濾過工程を開始する。除濁ユニット２による濁質除去能力が安定してから濾過工程を再開するので、中空糸膜モジュール８４の目詰まりを抑制できる。なお、濾過排水の流量は、浄水設備の取水量と同程度であることが好ましい。
【０１４５】
よって、本実施形態では、除濁濾過塔１１の洗浄消毒は膜ユニット３の逆洗水槽８６に次亜水を貯留し、次亜水を膜ユニット３の逆洗ポンプ８７を利用し、中空糸膜モジュール８４を経由して、除濁ユニット２の除濁濾過塔１１に次亜水を充水しているので、次亜注入点を変更しても除濁ユニット２に別途の次亜注入機構や逆洗機構を設ける必要はなく、除濁ユニット２をコンパクトにし、次亜の消費量を抑制しつつ、除濁ユニット２の逆洗と除濁濾過塔１１の洗浄消毒ができる。
【０１４６】
さらに、本実施形態では、除濁ユニット逆洗工程を経た後に、圧密工程を実施しているので、繊維濾過材を復帰させた後に圧密工程で繊維濾過材を圧密状態にして、繊維濾過材は逆洗されるまで圧密状態を保持することができる。
【０１４７】
そして、繊維濾過材を圧密させた後に処理水質が安定してから膜ユニットで濾過するから、極めて少ない原水流量（例えば１０ｍ３／日程度）の小規模の浄水施設等であっても、除濁ユニットを現地に合わせた流量に設定可能で、安定して濁質除去しつつ膜ユニットの膜モジュールの目詰りを抑制し、かつ、簡易に安定した濾過水を得ることができる。
【０１４８】
なお、上記の説明では、逆洗工程と洗浄消毒工程後に圧密工程を実施しているが、洗浄消毒工程を省略して、逆洗工程後に圧密工程を実施してもよい。この場合でも、上記同様に、除濁ユニットは、原水流入量が極めて少ないときでも、流量に依存することなく安定して濁質除去することができる。
【０１４９】
また、上記の洗浄消毒工程や圧密工程は、除濁ユニットと膜ユニットとが分離可能で一体となっている可搬型水処理装置に関して説明したが、除濁ユニットと膜ユニットとを分離できない可搬型水処理装置でも実施可能であり、さらには、除濁ユニットと膜ユニットとが別体として使用可能な可搬型水処理装置においても実施可能である。
【実施例】
【０１５０】
本発明における除濁ユニットと膜ユニットの可搬型水処理装置の実施の一例を説明する。
【０１５１】
除濁ユニットと膜ユニットの可搬型水処理装置で、設定時間になるまで（時間は濁度による）原水を濾過した（濾過工程）。次に、２０分程度逆洗運転した（逆洗工程）。逆洗工程後、濾過流速を５０ｍ／ｈに調整してから４０秒、除濁ユニットの除濁濾過塔の繊維濾過材を圧密した（圧密工程）。除濁ユニットの原水の処理水質が安定するまで約５分、処理水を浄水設備の取水量に合わせて、除濁ユニットを極めて少ない原水流量（１０ｍ３／日程度）に調整してから、濾過排水した（濾過排水工程）。その後、原水の濾過を再開した（濾過工程）。十分に濁質除去された濾過水を得ることができた、さらに、膜モジュールの目詰まりを抑制することができた。
【０１５２】
よって、原水流量が極めて少ない場合であっても（１０ｍ３／日程度）、除濁ユニットと膜ユニットの可搬型水処理装置は、原水の濁質を除去しつつ、膜モジュールの目詰まりの抑制が可能である。そして、可搬型水処理装置の膜流速を低く設定することができるので、小規模の浄水設備等で現場に合わせた除濁ユニットの原水流量の設定が可能である。
【符号の説明】
【０１５３】
１、１４１  可搬型水処理装置
２  除濁ユニット
３  膜ユニット
４  前処理水供給ライン
５  前処理水ライン
６、７、８、９  接続部
１１  除濁濾過塔
１５、９４  制御盤
１６、９６  枠体
１７  回転軸
１８  保持枠体
１９  フック部材
２７  繊維濾過材
８２  膜供給水ライン
８３  濾過水ライン
８４  中空糸膜モジュール
８６  逆洗水槽
１１３  次亜注入部
１１５  分岐ライン
１４６  原水供給ライン
１４７  除濁ライン
【図１】
2020066002.tif 000004
【図２】
2020066002.tif 000005
【図３】
2020066002.tif 000006
【図４】
2020066002.tif 000007
【図５】
2020066002.tif 000008
【図６】
2020066002.tif 000009
【図７】
2020066002.tif 000010
【図８】
2020066002.tif 000011
【図９】
2020066002.tif 000012
【図１０】
2020066002.tif 000013
【図１１】
2020066002.tif 000014
【図１２】
2020066002.tif 000015
【図１３】
2020066002.tif 000016
【図１４】
2020066002.tif 000017
【図１５】
2020066002.tif 000018
【図１６】
2020066002.tif 000019
【図１７】
2020066002.tif 000020